(57)【要約】【課題】配管作業を簡素にするとともに、トイレ室内に配管類が露見するのを防止して外観及び清掃作業がよくなるトイレの換気装置を得る。【解決手段】便器（１）の壁内に吸引路（１０）を形成するとともに、該吸引路（１０）は、便器（１）の両側上縁部（１ａ）の内側に吸引口（１０ｅ）を有し、上記便器（１）の下面に床下配管した吸引管（１３）と接続可能な接続口（１０ｄ）を有する構成にする。【選択図】        図１
2004225250.tif 000002
【特許請求の範囲】
【請求項１】
便器（１）の壁内に吸引路（１０）を形成するとともに、該吸引路（１０）は便器（１）の両側上縁部（１ａ）の内側に吸引口（１０ｅ）を設け、便器（１）の下面に床下配管した吸引管（１３）と接続可能な接続口（１０ｄ）を設けたことを特徴とするトイレの換気装置。
【請求項２】
吸引路（１０）の途中に上方に向かって蛇行する上り蛇行部（１０ｂ）を設け、該上り蛇行部（１０ｂ）の底部に小径の水抜き孔（１１）を設けたことを特徴とする請求項１記載のトイレの換気装置。
【請求項３】
水抜き孔（１１）を便器（１）に形成した排水路（６）に接続したことを特徴とする請求項２記載のトイレの換気装置。
【発明の詳細な説明】
【０００１】
【発明の属する技術分野】
本発明は、排便時の臭いを除去するトイレの換気装置に関するものである。
【０００２】
【従来の技術】
従来の技術として、便器の壁内に前部から両側上縁部に沿って後方に延びる流路を形成するとともに、該流路の後部に複数の小孔（排水口）を形成し、上記流路の前部に送水管と第１吸気枝管とを並列に接続し、該第１吸気枝管とトイレ室内の床面近傍に吸気口を有する別個の第２吸気枝菅とを自動切換え弁を介して吸気主管に接続し、便器を洗浄する際には、送水管から上記流路に水を供給してその小孔から便器内に洗浄用の水を流す一方、第２吸気枝菅からトイレ室内の床面部の空気（臭気）を吸引して外部に排出し、上記洗浄時以外においては第１吸気枝管から上記流路の小孔を介して便器内の空気（臭気）を吸引して外気に排出するようにしたものがあった。（例えば、特許文献１参照）。
【０００３】
【特許文献１】
特公昭５５−４８１４３号公報（第１図）
【０００４】
【発明が解決しようとする課題】
上記従来のものは、臭気を吸引除去するために第１吸気枝菅及び第２吸気枝管を使用するようにしていたので、配管作業が煩わしくなるとともに、トイレ室内に多数の配管が露見して外観を損ねるものであった。本発明は、上記不具合を解消した新規なトイレの換気装置を得ることを目的とする。
【０００５】
【課題を解決するための手段】
本発明は、上記課題を解決するために以下の如く構成したものである。即ち、請求項１に係る発明は、便器の壁内に吸引路を形成するとともに、該吸引路は便器の両側上縁部の内側に吸引口を設け、便器の下面に床下配管した吸引管と接続可能な接続口を設ける構成にしたものである。
また、請求項２に係る発明は、上記吸引路の途中に上方に向かって蛇行する上り蛇行部を設け、該上り蛇行部の底部に小径の水抜き孔を設けるようにしたものである。
また、請求項３に係る発明は、上記水抜き孔を便器に形成した排水路に接続したものである。
【０００６】
【発明の実施の形態】
以下、本発明の実施の形態を図面に基いて説明する。図面において、図１は本発明の第１実施例を示す側面断面図、図２は図１のＩＩ−ＩＩ断面図、図３は本発明の第２実施例を示す側面断面図、図４は図３のＩＶ−ＩＶ断面図である。
【０００７】
図１、図２は様式の便器を示す。図１において、１は便器であり、便室２の上縁部１ａを内方にカールして洗浄水の案内溝３を形成し、後端上部（図１において右端上部）に洗浄水を上記案内溝３に向けて吐出する吐出孔４を形成し、該吐出孔４の後部に送水菅５を接続する。該送水菅５は送水弁（図示省略）を操作した際に水（洗浄水）を吐出孔４に向けて一定時間送水するようになっている。また、上記便室２の後部に上方に立ち上がった後、下方に垂下する排水路６を形成し、該排水路６の下端を便器１の下面に開口させ、この部を床下配管した排水管７に接続する。
【０００８】
上記便器１の壁内に吸引路１０を形成する。該吸引路１０は、便器１の前後方向中間部に位置する左右両側壁内にそれぞれ上縁部から下方に向かって延びる分岐吸引路１０ａ、１０ａを形成し、各分岐吸引路１０ａ、１０ａの下部を便器１本体の下部に形成した筒状の集合路１０ｃに接続する。上記各分岐吸引路１０ａ、１０ａの中間部は、図１に示すように、上方に向けて上り蛇行させ、該上り蛇行部１０ｂの下った底部に小径の水抜き孔１１を形成するとともに、該水抜き孔１１を便器１本体の壁内に形成した導水路１２を介して前述した排水路６に接続する。
【０００９】
上記各分岐吸引路１０ａ、１０ａの上部は、図２に示すように、カールさせた上縁部１ａの壁に沿って逆Ｕ形に屈曲させ、その先端、つまり吸引口１０ｅを便室２の下面に向けて開口させ、洗浄水が流入し難くなるようにする。また、上記集合路１０ｃの接続口１０ｄは便器１の下面に位置させ、該接続口１０ｄを床下配管した吸引管１３に接続する。この吸引菅１３は、図１に示すように、建物の外壁部に設けた吸引ファン１４に接続され、該吸引ファン１４を介して外部に開放される。上記吸引ファン１４は便器１の近傍に配置したスイッチ１４ａによってオン・オフ作動される。図１において、１５は便座、１６は蓋である。
【００１０】
上記第１実施例によれば、用便時にスイッチ１４ａをオン操作すると、吸引ファン１４が起動し、吸引管１３を介して吸引路１０が負圧となり、左右の吸引口１０ｅから便室２内の臭気を効率よく吸引し、該臭気は各分岐吸引路１０ａ、１０ａ、集合路１０ｃ、吸引管１３を経て外部に排出されることになる。また、上記吸引時、あるいは便器の洗浄時等に吸引口１０ｅから吸引路１０内に浸入した水は、上り蛇行部１０ｂの下った底部に滞留し、該底部に形成した水抜き孔１１から導水路１２を介して排水路６に排出され、吸引管１３内への水の浸入が防止されることになる。
【００１１】
また、用便後に送水弁（図示省略）を操作すると、送水菅５から吐出孔４に向けて水（洗浄水）が一定時間送水され、吐出孔４から吐出した水は案内溝３に案内されて便室２の上部周縁から旋回しつつ下方に流下し、該便室２の内面を洗浄するとともに、便を排水路６に向けて排出することになる。
【００１２】
図３、図４は和式の便器を示す。図３において、２０は便器であり、便室２１の前部（図３において左部）側に上方に立ち上がる凸面状のヘッド部２２を有する。上記便室２１の上縁部２１ａは圧肉に形成され、該上縁部２１ａ内の左右及び上記ヘッド部２２内に前後方向に延びる洗浄水の導入路２３を形成し、上縁部２１ａ側の導入路２３に便室２１の下方に向かって開口する複数の吐出孔２３ａを前後方向に所定の間隔をおいて形成する。ヘッド部２２の前部に上記導入路２３に水（洗浄水）を供給する送水管２４を接続する。該送水管２４は送水弁（図示省略）を操作した際に水導入路２３に向けて一定時間送水するようになっている。また、上記便室２１の前部に上方に立ち上がった後、下方に垂下する排水路２５を形成し、該排水路２５の下端を床下配管した排水管２６に接続する。
【００１３】
上記便器２０の壁内に吸引路３０を形成する。即ち、便室２１上部の左右壁内に前後方向に延びる分岐吸引路３０ａ、３０ａを形成し、各分岐吸引路３０ａ、３０ａの前部３０ｂを下方に屈曲させ、その下端を便器２０本体の下部に形成した筒状の集合路３０ｃに接続する。上記各分岐吸引路３０ａ、３０ａは、図３に示すように、前部側が高くなるように上り傾斜させ、各分岐吸引路３０ａ、３０ａの後端の底部に便室２１内に開口する小径の水抜き孔３１を形成する。
【００１４】
上記各分岐吸引路３０ａ、３０ａの前後方向３箇所に吸引口３０ｄを形成する。各吸引口３０ｄは、図４に示すように、前述した上縁部２１ａ内の導入路２３を取り巻くように逆Ｕ形に屈曲させ、その先端を便室２１の下面に向けて開口させ、洗浄水が流入し難くなるようにする。また、上記集合路３０ｃの接続口３０ｅは便器２０の下面に位置させ、該接続口３０ｅを床下配管した吸引管３２に接続する。この吸引菅３２は、第１実施例と同様に、建物の外壁部に設けた吸引ファン３３に接続され、該吸引ファン３３を介して外部に開放される。上記吸引ファン３３は便器２０の近傍に配置したスイッチ（図示省略）によってオン・オフ作動される。
【００１５】
上記第２実施例によれば、用便時に吸引ファン３３を起動させると、便室２１内の臭気を左右の吸引口３０ｄから吸引し、各分岐吸引路３０ａ、３０ａ、集合路３０ｃ、吸引管３２を介して外部に排出されることになる。また、上記吸引時、あるいは便器２０の洗浄時等に吸引口３０ｄから吸引路３０内に浸入した水は、各分岐吸引路３０ａ、３０ａの下った後部に滞留し、該後部に形成した水抜き孔３１から便室２１内に排出され、吸引管３２内への水の浸入が防止されることになる。
【００１６】
また、用便後に送水弁（図示省略）を操作すると、送水管２４から導入路２３に水（洗浄水）が一定時間送水され、該水が吐出孔２３ａから便室２１の内面に沿って流下し、該便室２１の内面を洗浄するとともに、便を排水路２５に向けて排出することになる。
【００１７】
【発明の効果】
以上の説明から明らかな如く、本発明は、臭気を吸引する吸引路を便器の壁内に形成するとともに、該吸引路の接続口を便器の下面に設けて床下配管した吸引管に接続するようにしたので、配管作業が簡素になる。しかも、トイレ室内に配管類が露見しなくなり、外観が向上するとともに清掃作業が容易になる。
また、上記吸引路の途中に上り蛇行部を設け、該上り蛇行部の底部に小径の水抜き孔を設けたので、吸引管に水が浸入しなくなり、これの耐久性が高くなる。また、上記水抜き孔を便器に形成した排水路に接続したので、便器の内面が汚染され難くなる。
【図面の簡単な説明】
【図１】本発明の第１実施例を示す側面断面図である。
【図２】図１のＩＩ−ＩＩ断面図である。
【図３】本発明の第２実施例を示す側面断面図である。
【図４】図３のＩＶ−ＩＶ断面図である。
【符号の説明】
１    便器
１ａ  上縁部
２    便室
３    案内溝
４    吐出孔
５    送水管
６    排水路
７    排水管
１０    吸引路
１０ａ  分岐吸引路
１０ｂ  上り蛇行部
１０ｃ  集合吸引路
１０ｄ  接続口
１０ｅ  吸引口
１１    水抜き孔
１２    導水路
１３    吸引管
１４    吸引ファン
１４ａ  スイッチ
１５    便座
１６    蓋
２０    便器
２１    便室
２１ａ  上縁部
２２    ヘッド部
２３    導入路
２３ａ  吐出孔
２４    送水管
２５    排水路
２６    排水管
３０    吸引路
３０ａ  分岐吸引路
３０ｂ  前部
３０ｃ  集合路
３０ｄ  吸引口
３０ｅ  接続口
３１    水抜き孔
３２    吸引管
３３    吸引ファン
【図１】
2004225250.tif 000003
【図２】
2004225250.tif 000004
【図３】
2004225250.tif 000005
【図４】
2004225250.tif 000006